(57)【要約】  本発明の課題は、複数種類の機器が通信ネットワークに通信接続された環境において特定種類の複数の機器を簡便に停止することができる制御システムおよび制御プログラムを提供することである。本発明に係る制御システム１は、通信ネットワークＮＴＷ、複数種類の機器２００，３００および制御装置４００を備える。通信ネットワークは、インターネット等であって、無線ＬＡＮ（ＷｉＦｉ等）や有線ＬＡＮを通信接続して構築された広域のネットワークである。複数種類の機器は、通信ネットワークに通信接続されている。制御装置もまた通信ネットワークに通信接続されている。また、この制御装置は、一括停止機能を有する。一括停止機能は、複数種類の機器のうち特定種類の複数の機器２００を一括で停止する機能である。
2019069481.tif 000002
【特許請求の範囲】
【請求項１】
通信ネットワークと、
前記通信ネットワークに通信接続される複数種類の機器と、
前記通信ネットワークに通信接続され、前記複数種類の機器のうち特定種類の複数の機器を一括で停止する一括停止機能を有する制御装置と
を備える、制御システム。
【請求項２】
前記制御装置は、前記一括停止機能実行時、前記特定種類の複数の機器全てに対して一時に停止信号を送信する
請求項１に記載の制御システム。
【請求項３】
前記制御装置は、情報表示部を有し、前記特定種類の機器から停止完了信号を受信した場合、前記情報表示部に対して前記特定種類の機器の識別情報と共に第１情報を一覧表示し、前記特定種類の複数の機器のいずれかの機器との通信に失敗した場合、前記情報表示部に対して前記通信に失敗した前記機器の識別情報と共に、前記第１情報とは異なる情報である第２情報を一覧表示する
請求項１または２に記載の制御システム。
【請求項４】
前記制御装置は、前記特定種類の複数の機器のいずれかの機器との通信に失敗した場合、前記通信の再試行の要否入力を受け付ける再試行要否入力受付画面を前記情報表示部に表示し、前記再試行要否入力受付画面において前記通信の再試行を要すると入力された場合、前記通信に失敗した機器に対して通信を再試行する
請求項３に記載の制御システム。
【請求項５】
前記制御装置は、時計部および情報表示部を有し、前記一括停止機能を実行した時刻の情報を前記時計部から取得し、前記時刻の情報を前記情報表示部に表示する
請求項１または２に記載の制御システム。
【請求項６】
前記制御装置は、情報表示部を有し、前記一括停止機能の対象としない前記特定種類の機器を選択させる選択画面を前記情報表示部に表示し、前記選択画面において選択された前記特定種類の機器に対しては前記一括停止機能を適用しない
請求項１または２に記載の制御システム。
【請求項７】
プロセッサを備える通信端末のためのプログラムであって、
前記通信端末の起動時に、通信インターフェイスを介してサーバからデータを受信するステップと、
前記データを利用して、通信ネットワークに通信接続される前記複数種類の機器のうち特定種類の複数の機器を一括で停止する一括停止機能を実行するステップと
を前記プロセッサに実行させる、通信端末のためのプログラム。
【発明の詳細な説明】
【技術分野】
【０００１】
本発明は、電気機器の制御システムおよび制御プログラムに関する。
【背景技術】
【０００２】
近年、家庭に設置される複数種類の電気機器がインターネット等の広域ネットワークに通信接続することが可能となっている。そして、この通信環境の構築によって、スマートフォン等の情報端末からそれらの電気機器を制御することが可能となっている（例えば、特開２００１−３０９４６４号公報等参照）。【０００３】
ところで、これらの電気機器の中には、比較的頻繁に運転・停止を繰り返すもの（例えば、テレビや、エアコン、洗濯機など）もあれば、ほぼ常に運転状態とされるもの（例えば、冷蔵庫や空気清浄機など）もある。また、比較的頻繁に運転・停止を繰り返す電気機器には、複数台設置されているもの（エアコン等）がある。ここで、外出時等に、比較的頻繁に運転・停止を繰り返す特定複数の電気製品の電源を一つ一つ停止するのはかなり煩雑である。
【先行技術文献】
【特許文献】
【０００４】
【特許文献１】特開２００１−３０９４６４号公報（要約等参照）
【発明の概要】
【発明が解決しようとする課題】
【０００５】
本発明の課題は、複数種類の機器が通信ネットワークに通信接続された環境において特定種類の複数の機器を簡便に停止することができる制御システムおよび制御プログラムを提供することである。
【課題を解決するための手段】
【０００６】
本発明の一局面に係る制御システムは、通信ネットワーク、複数種類の機器および制御装置を備える。通信ネットワークは、インターネット等であって、無線ＬＡＮ（ＷｉＦｉ（登録商標）等）や有線ＬＡＮを通信接続して構築された広域のネットワークである。複数種類の機器は、通信ネットワークに通信接続されている。制御装置もまた通信ネットワークに通信接続されている。なお、ここにいう「制御装置」とは、例えば、スマートフォンや携帯電話等の情報端末等である。また、この制御装置は、一括停止機能を有する。一括停止機能は、複数種類の機器のうち特定種類の複数の機器を一括で停止する機能である。なお、ここにいう「特定種類の機器」は、一種類の機器であっあってもよいし二種類以上の機器（例えば、エアコンおよび照明機器）であってもよい。また、特定種類の機器は、同一の空間（例えば、部屋や家屋等）に存在するものであってもよいし、異なる空間に存在するものであってもよい。ここで、一括停止機能実行時、特定種類の機器は、完全に停止してもよいし、一括停止機能実行前に行っていた運転を停止した後に他の運転を開始してもよい。【０００７】
本発明の一局面に係るプログラムは、プロセッサを備える通信端末のためのプログラムであって、通信端末の起動時に、通信インターフェイスを介してサーバからデータを受信するステップと、データを利用して、通信ネットワークに通信接続される複数種類の機器のうち特定種類の複数の機器を一括で停止する一括停止機能を実行するステップとをプロセッサに実行させる。なお、ここにいう「データ」には、ユーザＩＤ情報や、機器ＩＤ情報等の識別情報が含まれる。
【発明の効果】
【０００８】
上述の通り、本発明の一局面に係る制御システムでは、制御装置が一括停止機能を有しており、一括停止機能が利用されると、複数種類の機器のうち特定種類の複数の機器を一括で停止する。このため、この制御システムでは、例えば、複数種類の電気機器が存在する環境において、比較的頻繁に運転・停止を繰り返す特定複数の電気機器を一括して停止させることができ、非常に簡便である。また、この制御システムでは、複数種類の機器が通信ネットワークに通信接続されている。このため、制御装置としてスマートフォンや携帯電話を用いる場合、外出先からでも特定種類の複数の機器を停止させることができ、非常に便利である。【０００９】
上述の通り、本発明の一局面に係る制御プログラムでは、サーバから送信されたデータを利用して、通信ネットワークに通信接続される複数種類の機器のうち特定種類の複数の機器を一括で停止する一括停止機能を実行するステップをプロセッサに実行させる。このため、この制御プログラムを利用すれば、例えば、複数種類の電気機器が存在する環境において、比較的頻繁に運転・停止を繰り返す特定複数の電気機器を一括して停止させることができ、非常に簡便である。
【図面の簡単な説明】
【００１０】
【図１】第１の実施の形態にかかる家電管理システムの全体構成と動作概要を示すイメージ図である。
【図２】第１の実施の形態にかかるユーザ−家電関係管理テーブルのイメージ図である。
【図３】第１の実施の形態にかかるスマートフォンの画面例を示すイメージ図である。
【図４】第１の実施の形態にかかるスマートフォンの画面例を示すイメージ図である。
【図５】第１の実施の形態にかかるスマートフォンの画面例を示すイメージ図である。
【図６】第１の実施の形態にかかるスマートフォンの画面例を示すイメージ図である。
【図７】第１の実施の形態にかかるスマートフォンの画面例を示すイメージ図である。
【図８】第１の実施の形態にかかるスマートフォンの画面例を示すイメージ図である。
【図９】第１の実施の形態にかかるサーバの構成の一態様について説明するためのイメージ図である。
【図１０】第１の実施の形態にかかるユーザ−通信端末関係管理テーブルのイメージ図である。
【図１１】第１の実施の形態にかかるエアコンの構成の一態様について説明するためのイメージ図である。
【図１２】第１の実施の形態にかかるスマートフォンの構成の一態様について説明するためのイメージ図である。
【図１３】第４の実施の形態にかかるスマートフォンの画面例を示すイメージ図である。
【図１４】第５の実施の形態にかかるスマートフォンの画面例を示すイメージ図である。
【符号の説明】
【００１１】
１      家電管理システム（制御システム）
１００      サーバ
２００      エアコン（複数種類の機器，特定種類の複数の機器）
３００      空気清浄機（複数種類の機器）
４００      スマートフォン（制御装置，通信端末）
４１０      ＣＰＵ（プロセッサ）
４５０      時計（時計部）
４６０      通信インターフェイス
Ｄｉ’      通知ダイアログボックス（再試行要否入力受付画面）
ＤＳＰ      ディスプレイ（情報表示部）
Ｄｘ      選択ダイアログボックス（選択画面）
ＮＴＷ      通信ネットワーク
Ｓｄ１，Ｓｄ２      停止信号
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
−第１の実施の形態−
＜家電管理システム１の全体構成と動作概要＞
【００１４】
まず、図１を参照して、本実施の形態にかかる家電管理システム１の全体構成について説明する。本実施の形態にかかる家電管理システム１は、主に、サーバ１００と、インターネットやルータなどを含む通信ネットワークＮＴＷを介してサーバ１００に接続可能な家庭用電気機器２００，３００と、インターネットやルータなどを含む通信ネットワークＮＴＷを介してサーバ１００に接続可能なスマートフォン４００などの通信端末（携帯端末）から構成される。なお、ここで、符号２００で示される家庭用電気機器はエアコン（空気調和機）であり、符号３００で示される家庭用電気機器は空気清浄機である。ここで、エアコン２００は、同一の空間（例えば、部屋や家屋等）に存在するものであってもよいし、異なる空間に存在するものであってもよい。
【００１５】
次に、図１を参照して、本実施の形態にかかる家電管理システム１の動作概要について説明する。ユーザＵＳがスマートフォン４００において家電管理アプリを起動させると、スマートフォン４００は、サーバ１００に対して、ユーザＩＤ情報Ｉｕを送信すると共に、そのユーザＩＤ情報Ｉｕに対応する家電端末ＩＤ情報Ｉｈを要求する要求信号を送信する。サーバ１００は、ユーザＩＤ情報Ｉｕおよび要求信号を受信すると、そのユーザＩＤ情報Ｉｕを、図２に示されるユーザ−家電関係管理テーブルＴｍ１に照らし合わせてそのユーザＩＤ情報Ｉｕに対応する家電端末ＩＤ情報Ｉｈを取得してスマートフォン４００に送信する。なお、本実施の形態にかかるユーザ−家電関係管理テーブルＴｍ１では、ユーザＩＤ情報に対して家電端末ＩＤ情報が紐づけられている。また、このユーザ−家電関係管理テーブルＴｍ１は、スマートフォン４００と、インターネットやルータなどを含む通信ネットワークＮＴＷを介してサーバ１００に接続可能な家庭用電気機器２００，３００との間でペアリング操作等が行われることによってサーバ１００上で作成される。また、図２に示されるユーザ−家電関係管理テーブルＴｍ１において、家電端末ＩＤ情報Ｉｕに「ＡＣＮ」の文字情報が含まれているものはエアコン２００の家電端末ＩＤ情報であり、「ＡＣＬ」の文字情報が含まれているものは空気清浄機３００の家電端末ＩＤ情報である。
【００１６】
そして、ユーザＵＳが、図３に示されるスマートフォン４００のディスプレイＤＳＰ上を下方向にスワイプすると、図４に示されるようにスマートフォン４００のディスプレイＤＳＰの下端からエアコン一括停止ダイアログボックスＤｄがロールアップしてくる。ユーザＵＳがこのエアコン一括停止ダイアログボックスＤｄ上のエアコン一括停止ボタンＢｄをタップすると、図５に示されるようにディスプレイＤＳＰ上に確認ダイアログボックスＤｃがポップアップされる。ユーザＵＳがこの確認ダイアログボックスＤｃのＯＫボタンＢｏをタップすると、スマートフォン４００は、サーバ１００を介して、先に入手した家電端末ＩＤ情報Ｉｈのうち「ＡＣＮ」の文字情報を含む家電端末ＩＤ情報Ｉｈに対応する家庭用電気機器すなわちエアコン２００全てに対して停止信号Ｓｄ１，Ｓｄ２を一時に送信する（なお、ここにいう「一時に」とは「同時に」、「短時間内に」、「一斉に」との意味で用いられている。）。各エアコン２００は、停止信号Ｓｄ１，Ｓｄ２を受信すると、サーバ１００を介してスマートフォン４００に停止完了信号を送信すると共に停止状態となる。スマートフォン４００は、停止信号送信時刻から一定時間経過前に停止完了信号を受信すると、ディスプレイＤＳＰ上の対応するエアコンの「運転中」との表示を「停止」との表示に変更すると共に、個別電源ボタンＤｐの上側に表示される時刻情報Ｉｔを、停止完了信号の受信時刻に書き換える（図６参照）。また、スマートフォン４００は、停止信号送信時刻から一定時間経過しても停止完了信号を受信できない場合（すなわち、通信に失敗した場合）、図７に示されるようにディスプレイＤＳＰ上に通知ダイアログボックスＤｉをポップアップさせる。なお、この通知ダイアログボックスＤｉには、「エアコン一括停止に失敗しました。」とのメッセージ情報と共に、停止に失敗したエアコン２００を特定する文字情報が表示される。そして、ユーザＵＳがこの通知ダイアログボックスＤｉのＯＫボタンＢｏをタップすると、スマートフォン４００は、通知ダイアログボックスＤｉを非表示とすると共に、図８に示されるように停止に失敗したエアコン２００の識別情報の脇に表示されている「運転中」との表示を「−」との表示に変更し、さらに個別電源ボタンＢｐ上に表示される時刻情報Ｉｔを一定時間経過時の時刻に書き換える。
【００１７】
このように、本実施の形態においては、サーバ１００、複数種類の家庭用電気機器２００，３００、および、スマートフォン４００などの通信端末がインターネットやルータなどを含む通信ネットワークＮＴＷを介してサーバ１００に接続されている状態において、比較的頻繁に運転・停止を繰り返す特定種類の複数の家庭用電気機器（ここではエアコン２００）を一括して停止させることができ、非常に簡便である。以下、このような機能を実現するための家電管理システム１の具体的な構成について詳述する。
＜サーバのハードウェア構成＞
【００１８】
図９を参照して、本実施の形態にかかる家電管理システム１を構成するサーバ１００のハードウェア構成の一態様について説明する。サーバ１００は、主に、ＣＰＵ（Central Processing Unit）１１０、メモリ１２０、ディスプレイ１３０、操作部１４０および通信インターフェイス１６０から構成されている。
【００１９】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００２０】
メモリ１２０は、各種のＲＡＭ（Random  Access  Memory）、各種のＲＯＭ（Read-Only  Memory）などによって実現される。メモリ１２０は、ＣＰＵ１１０によって実行されるプログラムや、ＣＰＵ１１０によるプログラムの実行により生成されたデータ、入力されたデータ、ユーザ−通信端末関係管理テーブルＴｍ２（図１０参照）、ユーザ−家電関係管理テーブルＴｍ１（図２参照）、その他の本実施の形態にかかる家電管理サービスに利用されるテーブル（データベース）などを記憶する。なお、本実施の形態においては、これらのテーブルなどの情報がサーバ１００に格納されているが、それらの情報はサーバ１００がアクセス可能な他の装置に格納されてもよい。
【００２１】
図１０は、本実施の形態にかかるユーザ−通信端末関係管理テーブルＴｍ２のイメージ図である。本実施の形態にかかるユーザ−通信端末関係管理テーブルＴｍ２では、ユーザＵＳ毎に、主に、ユーザＩＤ情報Ｉｕ、ユーザ名情報Ｉｎおよび通信端末ＩＤ情報Ｉｃが紐づけられている。
【００２２】
図９に戻って、ディスプレイ１３０は、ＣＰＵ１１０からの信号に基づいて、テキストや画像を表示する。操作部１４０は、サービスの管理者などの命令を受け付けて、当該命令をＣＰＵ１１０に入力する。
【００２３】
通信インターフェイス１６０は、ＣＰＵ１１０からのデータを、インターネット、キャリア網、ルータなどを含む通信ネットワークＮＴＷを介して、家庭用電気機器２００，３００や、スマートフォン４００などの他の装置に送信する。逆に、通信インターフェイス１６０は、インターネット、キャリア網、ルータなどを含む通信ネットワークＮＴＷを介して家庭用電気機器２００，３００やスマートフォン４００などの他の装置からのデータを受信して、ＣＰＵ１１０に受け渡す。
＜エアコンのハードウェア構成＞
【００２４】
図１１を参照して、家電管理システム１を構成するエアコン２００のハードウェア構成の一態様について説明する。本実施の形態にかかるエアコン２００は、一体型、セパレート型、マルチ室内機型等のエアコンであって、主に、ＣＰＵ２１０、メモリ２２０、ディスプレイ２３０、操作部２４０、時計（タイマ）２５０、通信インターフェイス２６０、赤外線受光部２８０および機器駆動部２９０から構成されている。
【００２５】
ＣＰＵ２１０は、メモリ２２０あるいは外部の記憶媒体に記憶されているプログラムを実行することによって、エアコン２００の各部を制御する。
【００２６】
メモリ２２０は、各種のＲＡＭ、各種のＲＯＭなどによって実現される。メモリ２２０は、ＣＰＵ２１０によって実行されるプログラムや、ＣＰＵ２１０によるプログラムの実行により生成されたデータ、操作部２４０を介して入力されたデータ、リモコン（図示せず）から受信したデータ、インターネットやルータなどを含む通信ネットワークＮＴＷを介してサーバ１００から受信したデータなどを記憶する。
【００２７】
ディスプレイ２３０は、ＣＰＵ２１０からの信号に基づいて、文字や画像などを出力する。なお、ディスプレイ２３０は、単にライトであってもよいし、あるいは、ＬＥＤなどからなる表示部であってもよい。
【００２８】
操作部２４０は、ボタン、タッチパネルなどによって実現され、ユーザＵＳからの命令を受け付けて、当該命令をＣＰＵ２１０に入力する。なお、ディスプレイ２３０と操作部２４０とは、タッチパネルを構成してもよい。
【００２９】
時計２５０は、現在時刻をＣＰＵ２１０に入力したり、指定されたタイミングからの経過時間を計測したりする。
【００３０】
通信インターフェイス２６０は、無線ＬＡＮまたは有線ＬＡＮなどの通信モジュールによって実現される。通信インターフェイス２６０は、有線通信あるいは無線通信によって他の装置との間でデータをやり取りする。すなわち、ＣＰＵ２１０は、通信インターフェイス２６０を介して、サーバ１００などの他の装置から各種の情報を受信したり、当該他の装置に各種の情報を送信したりする。
【００３１】
赤外線受光部２８０は、リモコンなどからの赤外線信号を検知して、ＣＰＵ２１０に受信信号を入力する。たとえば、ＣＰＵ２１０は、赤外線受光部２８０を介して、リモコンから電源ＯＮ／ＯＦＦ命令、その他の制御命令や各種データなどを受け付ける。
【００３２】
機器駆動部２９０は、ＣＰＵ２１０からの信号に基づいて、電気素子の各部（モータやヒータなど）を制御する。たとえば、本実施の形態においては、ＣＰＵ２１０は、通信インターフェイス２６０を介してスマートフォン４００からサーバ１００を経由して送信される停止信号を受信し、その停止信号に基づいて機器駆動部２９０を停止させる。
＜スマートフォンのハードウェア構成＞
【００３３】
図１２を参照して、本実施の形態にかかるスマートフォン４００などの通信端末（携帯端末）のハードウェア構成の一態様について説明する。スマートフォン４００は、主に、ＣＰＵ４１０、メモリ４２０、ディスプレイＤＳＰ、操作部４４０、時計（タイマ）４５０、通信インターフェイス４６０およびＧＰＳ（Global Positioning System）機能４９０を含む。
【００３４】
ＣＰＵ４１０は、メモリ４２０に記憶されているプログラムを実行することによって、スマートフォン４００の各部を制御する。たとえば、ＣＰＵ４１０は、メモリ４２０に格納されているプログラムを実行し、各種のデータを参照することによって、後述する各種の処理を実行する。
【００３５】
メモリ４２０は、各種のＲＡＭや各種のＲＯＭなどによって実現される。メモリ４２０は、ＣＰＵ４１０によって実行されるプログラムや、ＣＰＵ４１０によるプログラムの実行により生成されたデータ、入力されたデータ、その他の本実施の形態にかかる家電管理サービスに利用されるテーブル（データベース）などを記憶する。
【００３６】
ディスプレイＤＳＰは、ＣＰＵ４１０からの信号に基づいて、テキストや画像を表示する。操作部４４０は、ユーザＵＳなどの命令を受け付けて、当該命令をＣＰＵ４１０に入力する。
【００３７】
時計４５０は、現在時刻をＣＰＵ４１０に入力したり、指定されたタイミングからの経過時間を計測したりする。
【００３８】
通信インターフェイス４６０は、ＣＰＵ４１０からのデータを、インターネット、キャリア網、ルータなどを含む通信ネットワークＮＴＷを介して、サーバ１００や家庭用電気機器２００，３００などの他の装置に送信する。逆に、通信インターフェイス４６０は、インターネット、キャリア網、ルータなどを含む通信ネットワークＮＴＷを介して当該他の装置からのデータを受信して、ＣＰＵ４１０に受け渡す。たとえば、ＣＰＵ４１０は、通信インターフェイス４６０を介してサーバ１００から受信したデータに基づいてディスプレイＤＳＰに図２に示すような画像やテキストを表示し、操作部４４０を介してユーザＵＳから受け付けた指示を、通信インターフェイス４６０を介してサーバ１００に送信する。
【００３９】
ＧＰＳ機能４９０は、磁石や加速度センサなどを含み、スマートフォン４００自身の現在位置の計測に必要なデータを取得してＣＰＵ４１０に入力する。たとえば、ＣＰＵ４１０は、通信インターフェイス４６０を介して現在位置情報をサーバ１００に提供する。
【００４０】
−第２の実施の形態−
第２の実施の形態にかかる家電管理システム１は、スマートフォン４００における停止信号Ｓｄ１，Ｓｄ２の送信方法でのみ第１の実施の形態にかかる家電管理システム１と相違する。このため、本実施の形態にかかる家電管理システムについては、この点についてのみ説明を行う。
【００４１】
本実施の形態に係る家電管理システムでは、ユーザＵＳがこの確認ダイアログボックスＤｃのＯＫボタンＢｏをタップすると、スマートフォン４００がサーバ１００を介して、先に入手した家電端末ＩＤ情報Ｉｈのうち「ＡＣＮ」の文字情報を含む家電端末ＩＤ情報Ｉｈに対応する家庭用電気機器すなわちエアコン２００全てに対して停止信号Ｓｄ１，Ｓｄ２を所定時間間隔で送信する。このようにすることにより通信トラフィック量を安定させることができる。
【００４２】
−第３の実施の形態−
第３の実施の形態にかかる家電管理システムは、スマートフォン４００における更新時間情報の表示方法でのみ第１の実施の形態にかかる家電管理システム１と相違する。このため、本実施の形態にかかる家電管理システムについては、この点についてのみ説明を行う。
【００４３】
本実施の形態に係る家電管理システムでは、スマートフォン４００には、更新時刻情報表示箇所が一つしか設けられていない。そして、スマートフォン４００は、停止信号発信時にその表示を停止信号の発信時刻に書き換える。
【００４４】
−第４の実施の形態−
第４の実施の形態にかかる家電管理システムは、リトライ機能を備える点でのみ第１の実施の形態にかかる家電管理システム１と相違する。
【００４５】
この実施の形態に係る家電管理システムでは、スマートフォン４００は、停止信号送信時刻から一定時間経過しても停止完了信号を受信できない場合（すなわち、通信に失敗した場合）、図１３に示されるようにディスプレイＤＳＰ上に通知ダイアログボックスＤｉ’をポップアップさせる。なお、この通知ダイアログボックスＤｉ’には、「エアコン一括停止に失敗しました。」とのメッセージ情報と共に、停止に失敗したエアコン２００を特定する文字情報が表示される。そして、ユーザＵＳがこの通知ダイアログボックスＤｉ’のリトライボタンＢｒをタップすると、スマートフォン４００は、通知ダイアログボックスＤｉ’を非表示とすると共に、再び停止信号Ｓｄ２を送信する。なお、ここで再度、スマートフォン４００が通信に失敗すると、再びスマートフォン４００のディスプレイＤＳＰに通知ダイアログボックスＤｉ’が表示される。また、ユーザＵＳがＯＫボタンＢｏをタップした場合は、スマートフォン４００は、第１の実施の形態に係るスマートフォン４００と同様に、通知ダイアログボックスＤｉ’を非表示とすると共に、図１３に示されるように停止に失敗したエアコン２００の識別情報の脇に表示されている「運転中」との表示を「−」との表示に変更し、さらに個別電源ボタンＢｐ上に表示される時刻情報Ｉｔを一定時間経過時の時刻に書き換える。なお、エアコン２００が３台以上存在し、そのうちの複数台のエアコンとスマートフォン４００との通信が失敗した場合、リトライはエアコン毎に実施されてもよいし、通信が失敗したエアコンに対して一括で実施されてもよい。
【００４６】
−第５の実施の形態−
第５の実施の形態にかかる家電管理システムは、一括停止機能において停止信号Ｓｄ１，Ｓｄ２を送信しないエアコン２００を選択することができる点でのみ第１の実施の形態にかかる家電管理システム１と相違する。
【００４７】
この実施の形態に係る家電管理システムでは、確認ダイアログボックスＤｃのポップアップの直前または直後に、または、スマートフォン４００のディスプレイＤＳＰ上に選択ダイアログボックスＤｘがポップアップされる（図１４参照）。ここで、ユーザＵＳは、運転を継続させたいエアコン２００の識別情報の脇に表示されているチェックボックスをタップしてそのエアコン２００を選択する。そして、スマートフォン４００は、この選択されたエアコン２００に対しては停止信号を送信しない。なお、逆に、スマートフォン４００が、チェックボックスで選択された複数台のエアコン２００に対してのみ一括停止機能を実行してもよい。
ところで、選択ダイアログボックスＤｘは、設定ページに組み込まれていてもよい。かかる場合、エアコン一括停止ボタンＢｄのタップ後に選択ダイアログボックスＤｘが表示されることはない。
【００４８】
−第６の実施の形態−
第６の実施の形態にかかる家電管理システムは、停止信号受信時のエアコンの状態でのみ第１の実施の形態にかかる家電管理システム１と相違する。
【００４９】
この実施の形態に係る家電管理システムでは、停止信号Ｓｄ１，Ｓｄ２を受信したエアコン２００は、完全に停止することなく内部清浄運転や、フィルタ清掃運転、その他の運転に移行する。なお、内部清浄運転とは、例えば、冷房運転や除湿運転などの運転の後に、室内熱交換器に付着している水滴を乾燥させる目的で、所定時間室内ファンを運転させたり、暖房運転を行ったりするものをいう。また、内部清浄運転中、エアコン２００に内蔵されたイオン発生器やラジカル発生器などからイオンやラジカルなどを発生させてもよい。フィルタ清浄運転とは、エアコンや空気清浄機に内蔵されているフィルタ自動清掃装置によりフィルタを清掃するものをいう。ところで、エアコンがセパレート型エアコンである場合、室外機の圧縮機を運転したまま室内機のファンのみを停止させてもよい。
【００５０】
−第７の実施の形態−
第７の実施の形態にかかる家電管理システムは、停止信号Ｓｄ１，Ｓｄ２の送信方法でのみ第１の実施の形態にかかる家電管理システム１と相違する。
【００５１】
この実施の形態に係る家電管理システムでは、スマートフォン４００からサーバ１００へユーザＩＤ情報Ｉｕ、エアコン識別情報および停止信号送信命令信号が送信される。サーバ１００は、それらの情報および信号を受信すると、ユーザＩＤ情報に関連付けられると共にエアコン２００を選択し、エアコン２００に対して停止信号を送信する。なお、この際、ユーザＩＤ情報に代えて、通信端末ＩＤ情報が用いられてもよい。
【００５２】
−第８の実施の形態−
第８の実施の形態にかかる家電管理システムは、停止信号Ｓｄ１，Ｓｄ２の送信方法でのみ第１の実施の形態にかかる家電管理システム１と相違する。
【００５３】
この実施の形態に係る家電管理システムでは、スマートフォン４００は、一括停止機能実行時、全ての家庭用電気機器に対して、エアコン２００にのみ適合する停止信号を一斉送信（ブロードキャスト）する。エアコン２００は、その停止信号を受信すると、その停止信号が自機に適合する停止信号であると判断し、その停止信号に従って停止する。なお、空気清浄機３００は、その停止信号が自機に適合する停止信号ではないと判断し、その停止信号を無視する。なお、この実施の形態には、第７の実施の形態が適用されてもよい。すなわち、エアコン２００にのみ適合する停止信号がサーバ１００から一斉送信（ブロードキャスト）されてもよい。
【００５４】
−第９の実施の形態−
第９の実施の形態にかかる家電管理システムは、停止信号の送信タイミングでのみ第１の実施の形態にかかる家電管理システム１と相違する。
【００５５】
この実施の形態に係る家電管理システムでは、ユーザＵＳによりエアコン一括停止ボタンＢｄがタップされると、第１の実施の形態に係るスマートフォン４００のディスプレイＤＳＰにポップアップされる確認ダイアログボックスＤｃが表示されることなく、即座にスマートフォン４００からエアコン２００に向かって停止信号Ｓｄ１，Ｓｄ２が送信される。
【００５６】
−第１０の実施の形態−
第１０の実施の形態にかかる家電管理システムは、一括停止機能の対象がエアコンだけでなく、登録済み家庭用電器機器とされる点でのみ第１の実施の形態にかかる家電管理システム１と相違する。
【００５７】
この実施の形態に係る家電管理システムでは、ユーザＵＳが、図３に示されるスマートフォン４００のディスプレイＤＳＰ上を下方向にスワイプすると、エアコン一括停止ダイアログボックスＤｄに代えて、登録家電一括停止ダイアログボックスがロールアップしてくる。かかる場合、ユーザＵＳがこの登録家電一括停止ダイアログボックス上の登録家電一括停止ボタンをタップすると、ディスプレイＤＳＰ上に確認ダイアログボックスがポップアップされる（図５参照）。ユーザＵＳがこの確認ダイアログボックスのＯＫボタンＢｏをタップすると、スマートフォン４００は、サーバ１００を介して、登録済みの家電用電気機器全てに対して停止信号を一時に送信する。
【００５８】
また、第５の実施の形態にかかる家電管理システムのように、確認ダイアログボックスに代えて、選択ダイアログボックスを表示させるようにしてもかまわない。かかる場合、ユーザＵＳは、選択ダイアログボックスにおいて、一括停止したい登録済みの家庭用電気機器のカテゴリ（例えば、テレビ、照明装置、エアコン２００、空気清浄機３００などのカテゴリ）を選択する。これにより、選択されたカテゴリに属する家庭用電気機器が一括で停止される。なお、カテゴリに属する家庭用電気機器の中から一括停止する家庭用電気機器が個別に選択されるようにしてもよい。
【００５９】
−その他の応用例−
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。例えば、実施の形態では家庭用電気機器としてエアコン２００および空気清浄機３００を例として説明したが、本発明は、照明装置や、テレビ、エアコン２００と照明装置の組合せ、照明装置とテレビの組合せ、照明装置、エアコン２００およびテレビの組合せ等に対しても適用することができる。
【００６０】
＜まとめ＞
本発明の第１局面に係る制御システム（家電管理システム１）は、通信ネットワーク（通信ネットワークＮＴＷ）、複数種類の機器（エアコン２００および空気清浄機３００）および制御装置（スマートフォン４００）を備える。通信ネットワークは、インターネット等であって、無線ＬＡＮ（ＷｉＦｉ（登録商標）等）や有線ＬＡＮを通信接続して構築された広域のネットワークである。複数種類の機器は、通信ネットワークに通信接続されている。制御装置もまた通信ネットワークに通信接続されている。また、この制御装置は、一括停止機能を有する。一括停止機能は、複数種類の機器のうち特定種類の複数の機器（複数台のエアコン２００）を一括で停止する機能である。
【００６１】
上述の通り、本発明の第１局面に係る制御システムでは、制御装置が一括停止機能を有しており、一括停止機能が利用されると、複数種類の機器のうち特定種類の複数の機器を一括で停止する。このため、この制御システムでは、例えば、複数種類の電気機器が存在する環境において、比較的頻繁に運転・停止を繰り返す特定種類の複数の電気機器を一括して停止させることができ、非常に簡便である。また、この制御システムでは、複数種類の機器が通信ネットワークに通信接続されている。このため、制御装置として携帯端末を用いる場合、外出先からでも特定種類の複数の機器を停止させることができ、非常に便利である。
【００６２】
本発明の第２局面に係る制御システムは第１局面に係る制御システムであって、制御装置は、一括停止機能実行時、特定種類の複数の機器全てに対して一時に停止信号（停止信号Ｓｄ１，Ｓｄ２）を送信する。
【００６３】
ところで、過去に「全室内機停止機能を実行する際、送受信部を介して１台ずつ順に室内機に運転停止信号を送信し、所定時間経過しても停止完了信号を受信しない場合は、室内機との間で通信エラーが発生したと認識し、それ以降、室内機に運転停止信号を送信しない、空気調和機のリモートコントローラ」が提案されている（例えば、特開２０１５−１０２３０２号公報等参照）。しかし、上述のような制御装置では、比較的早い段階でエラー発生が生じた場合、残りの室内機が速やかに停止されず、不要な電力を比較的多量に消費してしまうことになり、好ましくない。しかし、上述の通り、本発明の第２局面に係る制御システムでは、制御装置は、一括停止機能実行時、特定種類の複数の機器全てに対して一時に停止信号を送信する。このため、この制御システムでは、特定種類の複数の機器のいずれかの機器との通信に失敗しても、残りの機器を即座に停止し、不要な電力消費を防ぐことができる。
【００６４】
本発明の第３局面に係る制御システムは第１局面または第２局面に係る制御システムであって、制御装置は、情報表示部（ディスプレイＤＳＰ）を有する。そして、この制御装置は、特定種類の機器から停止完了信号を受信した場合、情報表示部に対して特定種類の機器の識別情報と共に第１情報（「停止」との文字情報）を一覧表示し、特定種類の複数の機器のいずれかの機器との通信に失敗した場合、情報表示部に対して通信に失敗した機器の識別情報と共に、第２情報（「−」の文字情報）を一覧表示する。なお、第１情報と第２情報とは異なり、上述した第１情報の「停止」と第２情報の「−」は一例であり、これ以外の表示であってもよい。
【００６５】
上述の通り、本発明の第３局面に係る制御システムでは、特定種類の機器から停止完了信号を受信した場合、情報表示部に対して特定種類の機器の識別情報と共に第１情報を一覧表示し、特定種類の複数の機器のいずれかの機器との通信に失敗した場合、情報表示部に対して通信に失敗した機器の識別情報と共に、第２情報を一覧表示する。このため、この制御システムでは、ユーザは、停止操作に成功した特定種類の機器と、停止操作に失敗した特定種類の機器とを容易に判別することができる。
【００６６】
本発明の第４局面に係る制御システムは第３局面に係る制御システムであって、制御装置は、特定種類の複数の機器のいずれかの機器との通信に失敗した場合、通信の再試行（リトライ）の要否入力を受け付ける再試行要否入力受付画面（通知ダイアログボックスＤｉ’）を情報表示部に表示する。そして、この制御装置は、再試行要否入力受付画面において通信の再試行を要すると入力された場合、通信に失敗した機器に対して通信を再試行する（すなわち、通信に失敗した機器に対して停止信号を再度送信する。）。
【００６７】
上述の通り、本発明の第４局面に係る制御システムでは、制御装置は、特定種類の複数の機器のいずれかの機器との通信に失敗した場合、通信の再試行の要否入力を受け付ける再試行要否入力受付画面を情報表示部に表示し、再試行要否入力受付画面において通信の再試行を要すると入力された場合、通信に失敗した機器に対して通信を再試行する。このため、この制御システムでは、一時的なネットワーク障害等の回復後に、通信に失敗した特定種類の機器を停止させることができる。
【００６８】
本発明の第５局面に係る制御システムは第１局面または第２局面に係る制御システムであって、制御装置は、時計部（時計４５０）および情報表示部を有する。そして、この制御装置は、一括停止機能を実行した時刻の情報を時計部から取得し、その時刻の情報を情報表示部に表示する。なお、ここで、時刻の情報は、情報表示部に一つだけ表示されてもよいし、特定種類の機器の識別情報等とセットで表示されてもよい。また、「一括停止機能を実行した時刻」は、停止信号を送信した時刻や、停止完了信号を受信した時刻等であってもよい。
【００６９】
上述の通り、本発明の第５局面に係る制御システムでは、制御装置は、一括停止機能を実行した時刻の情報を時計部から取得し、その時刻の情報を情報表示部に表示する。このため、この制御システムでは、ユーザは、一括停止機能実行時の時刻を容易に把握することができる。
【００７０】
本発明の第６局面に係る制御システムは第１局面または第２局面に係る制御システムであって、制御装置は、情報表示部を有する。そして、この制御装置は、一括停止機能の対象としない特定種類の機器を選択させる選択画面（選択ダイアログボックスＤｘ）を情報表示部に表示し、選択画面において選択された特定種類の機器に対しては一括停止機能を適用しない。なお、ここで、選択画面は、一括停止ボタン押圧時に呼び出されるようにしてもよいし、任意に呼び出されるようにしてもよい。「選択画面において選択された特定種類の機器に対しては一括停止機能を適用しない」とは、例えば、「選択画面において選択された特定種類の機器に対して停止信号を送信しない」こと等である。
【００７１】
上述の通り、本発明の第６局面に係る制御システムでは、制御装置は、一括停止機能の対象としない特定種類の機器を選択させる選択画面を情報表示部に表示し、選択画面において選択された特定種類の機器に対しては一括停止機能を適用しない。
【００７２】
本発明の第７局面に係るプログラムは、プロセッサ（ＣＰＵ４１０）を備える通信端末（スマートフォン４００）のためのプログラムであって、通信端末の起動時に、通信インターフェイス（通信インターフェイス４６０）を介してサーバ（サーバ１００）からデータ（家電端末ＩＤ情報Ｉｈ（ユーザＩＤ情報であってもよい。））を受信するステップと、データを利用して、通信ネットワーク（通信ネットワークＮＴＷ）に通信接続される複数種類の機器（エアコン２００，空気清浄機３００）のうち特定種類の複数の機器（エアコン２００）を一括で停止する一括停止機能を実行するステップとをプロセッサに実行させる。
【００７３】
上述の通り、本発明の第７局面に係る制御プログラムでは、サーバから送信されたデータを利用して、通信ネットワークに通信接続される複数種類の機器のうち特定種類の複数の機器を一括で停止する一括停止機能を実行するステップをプロセッサに実行させる。このため、この制御プログラムを利用すれば、例えば、複数種類の電気機器が存在する環境において、比較的頻繁に運転・停止を繰り返す特定複数の電気機器を一括して停止させることができ、非常に簡便である。
【図１】
2019069481.tif 000003
【図２】
2019069481.tif 000004
【図３】
2019069481.tif 000005
【図４】
2019069481.tif 000006
【図５】
2019069481.tif 000007
【図６】
2019069481.tif 000008
【図７】
2019069481.tif 000009
【図８】
2019069481.tif 000010
【図９】
2019069481.tif 000011
【図１０】
2019069481.tif 000012
【図１１】
2019069481.tif 000013
【図１２】
2019069481.tif 000014
【図１３】
2019069481.tif 000015
【図１４】
2019069481.tif 000016
【国際調査報告】
2019069481.tif 000017
2019069481.tif 000018
2019069481.tif 000019
2019069481.tif 000020